(57)【要約】    【課題】      ユーザに対して事前に行動予定を立てるための支援を行うこと。    【解決手段】  通信部１０１は、データ送受信を行う。情報保存処理部１０２は、通信部１０１により取得した情報の保存処理を行う。予定情報検索部１０３は、予め指定された検索条件に基づき、情報保存部１０４に記憶された行動予定情報から所定の情報を検索する。情報保存部１０４は、通信部１０１により取得した情報及び登録済みの行動予定情報を記憶する。情報再生処理部１０５は、情報の再生処理を行う。出力部１０６は、ディスプレイやスピーカにより、検索した情報を表示する。入力部１０７は、ユーザが情報を入力する。    【選択図】    図１
2006072897.tif 000002
【特許請求の範囲】
【請求項１】
行動予定情報を入力する入力手段と、
行動予定情報に関連する情報を格納する記憶手段と、
前記入力手段にて入力された前記行動予定情報に基づいて前記記憶手段に格納されている前記行動予定情報に関連する情報を検索する検索手段と、
前記検索手段にて検索された前記行動予定情報に関連する情報を表示する表示手段と、
を具備することを特徴とする通信端末装置。
【請求項２】
前記表示手段は、前記検索手段にて検索に用いられた前記行動予定情報と前記検索手段にて検索された前記行動予定情報に関連する情報とを同時に表示することを特徴とする請求項１記載の通信端末装置。
【請求項３】
前記記憶手段に格納される前記行動予定情報に関連する情報にブックマークを付与するブックマーク付与手段を具備し、
前記検索手段は、前記ブックマーク付与手段にてブックマークが付与された前記行動予定情報に関連する情報を検索することを特徴とする請求項１又は２記載の通信端末装置。
【請求項４】
前記行動予定情報に関連する情報を受信する受信手段を具備し、
前記記憶手段は、前記受信手段にて受信された前記行動予定情報に関連する情報を格納することを特徴とする請求項１乃至３の何れかに記載の通信端末装置。
【請求項５】
所望の前記行動予定情報に関連する情報が前記受信手段にて受信されたことを通知する受信通知手段を具備することを特徴とする請求項４記載の通信端末装置。
【請求項６】
行動予定情報を入力する入力ステップと、
行動予定情報に関連する情報を記憶手段内に格納する記憶ステップと、
前記入力ステップにて入力された前記行動予定情報に基づいて前記記憶手段内に格納されている前記行動予定情報に関連する情報を検索する検索ステップと、
前記検索ステップにて検索された前記行動予定情報に関連する情報を表示する表示ステップと、
を具備することを特徴とする行動提案方法。
【請求項７】
前記表示ステップは、前記検索ステップにて検索に用いられた前記行動予定情報と前記検索ステップにて検索された前記行動予定情報に関連する情報とを同時に表示することを特徴とする請求項６記載の行動提案方法。
【請求項８】
前記記憶手段に格納される前記行動予定情報に関連する情報にブックマークを付与するブックマーク付与ステップを具備し、
前記検索ステップは、前記ブックマーク付与ステップにてブックマークが付与された前記行動予定情報に関連する情報を検索することを特徴とする請求項６又は７記載の行動提案方法。
【請求項９】
前記行動予定情報に関連する情報を受信する受信ステップを具備し、
前記記憶ステップは、前記受信ステップにて受信された前記行動予定情報に関連する情報を格納することを特徴とする請求項６乃至８の何れかに記載の行動提案方法。
【請求項１０】
所望の前記行動予定情報に関連する情報が前記受信ステップにて受信されたことを通知する受信通知ステップを具備することを特徴とする請求項９記載の行動提案方法。
【発明の詳細な説明】
【技術分野】
【０００１】
本発明は、通信端末装置及び行動提案方法に係わり、特に、行動予定の設定や入力を容易にする通信端末装置及び行動提案方法に関する。
【背景技術】
【０００２】
例えば、現在地を取得できる位置通知システムから得られる利用者の位置情報を用いて、利用者が予め決めておいた行動を、取得した位置情報に対応させて、利用者に促す技術が知られている（例えば、特許文献１）。
【特許文献１】特開平１１−２９６５４６号公報
【発明の開示】
【発明が解決しようとする課題】
【０００３】
しかしながら、従来の装置においては、ユーザが事前に効率的に行動予定を立てたいというニーズがあるものの、この点について一切配慮がされていなかった。
【０００４】
本発明はかかる点に鑑みてなされたものであり、ユーザに対して事前に行動予定を立てるための支援を行うことができる通信端末装置及び行動提案方法を提供することを目的とする。
【課題を解決するための手段】
【０００５】
本発明の通信端末装置は、行動予定情報を入力する入力手段と、行動予定情報に関連する情報を格納する記憶手段と、前記入力手段にて入力された前記行動予定情報に基づいて前記記憶手段に格納されている前記行動予定情報に関連する情報を検索する検索手段と、前記検索手段にて検索された前記行動予定情報に関連する情報を表示する表示手段と、を具備する構成を採る。
【０００６】
この構成によれば、入力された行動予定情報に基づいて、格納されている行動予定情報に関連する情報を検索して表示することにより、例えばユーザは目的地に到着する前に行動予定情報を見ることができるので、ユーザに対して事前に行動予定を立てるための支援を行うことができる。
【０００７】
本発明の行動提案方法は、行動予定情報を入力する入力ステップと、行動予定情報に関連する情報を記憶手段内に格納する記憶ステップと、前記入力ステップにて入力された前記行動予定情報に基づいて前記記憶手段内に格納されている前記行動予定情報に関連する情報を検索する検索ステップと、前記検索ステップにて検索された前記行動予定情報に関連する情報を表示する表示ステップと、を具備するようにした。
【０００８】
この方法によれば、入力された行動予定情報に基づいて、格納されている行動予定情報に関連する情報を検索して表示することにより、例えばユーザは目的地に到着する前に行動予定情報を見ることができるので、ユーザに対して事前に行動予定を立てるための支援を行うことができる。
【発明の効果】
【０００９】
本発明によれば、ユーザに対して事前に行動予定を立てるための支援を行うことができる。
【発明を実施するための最良の形態】
【００１０】
本発明は、スケジュール情報（行動予定情報）の入力に応じて、予定候補情報を提示するようにして、行動予定の設定の支援、および入力を容易にするようにしたものである。
【００１１】
以下、本発明の実施の形態について図面を参照して詳細に説明する。
【００１２】
（実施の形態１）
図１〜図５は、実施の形態１を説明する図である。
【００１３】
はじめに、実施の形態１の通信端末装置の構成を、図１を参照して説明する。
【００１４】
実施の形態１の通信端末装置１００は、図１に示すように、通信部１０１と、情報保存処理部１０２と、予定情報検索部１０３と、情報保存部１０４と、情報再生処理部１０５、出力部１０６と、入力部１０７と、ブックマーク付与部１０８と、情報登録部１０９とを備えている。
【００１５】
通信部１０１は、データ送受信を行う手段であり、放送コンテンツの受信、Ｗｅｂ上でのコンテンツ取得、およびメールでのデータ送受信を行う機能を備えている。
【００１６】
情報保存処理部１０２は、通信部１０１により取得した情報の保存処理を行う手段であり、取得した情報と受信後の処理により新たに当該情報に付加した情報とを合わせて情報保存部１０４に保存処理する機能を有する。
【００１７】
予定情報検索部１０３は、予め指定された検索条件に基づき、情報保存部１０４に記憶された行動予定情報から所定の情報を検索する機能を有する。
【００１８】
情報保存部１０４は、通信部１０１により取得した情報及び登録済みの行動予定情報を記憶する記憶手段である。
【００１９】
情報保存部１０４には、通信端末装置１００に内蔵されたメモリ、具体的には電気的消去型不揮発性メモリ（EEPROM）、読出書込可能な揮発性メモリ（SRAMやDRAM）、磁気メモリ（Hard Disk）のいずれかを使用することができる。また、情報保存部１０４には、通信端末装置１００に着脱自在な外部記憶装置、例えば、カード型メモリ、スティック型メモリ等を使用することができる。更に、無線網や有線網で構築されたネットワークのサーバの記憶装置を情報保存部１０４として使用することができる。
【００２０】
情報再生処理部１０５は、情報の再生処理を行う手段であり、出力部１０６により表示する機能を有する。
【００２１】
出力部１０６は、ディスプレイやスピーカにより構成される。
【００２２】
入力部１０７は、ユーザが情報を入力する手段である。
【００２３】
ブックマーク付与部１０８は、ユーザの指示により、行動提案情報の提示に際して参照すべき情報である旨を表示するブックマーク（印）を付与する機能を有する。
【００２４】
情報登録部１０９は、予定情報検索部１０３の検索結果として提示された行動提案情報を登録するための機能を有する。
【００２５】
次に、このように構成された通信端末装置１００の動作を図２〜図５を用いて説明する。
【００２６】
最初に、放送コンテンツ受信および閲覧時の処理方法を、図２を用いて説明する。
【００２７】
ステップＳ２０１において、通信部１０１は放送コンテンツを受信し、ステップＳ２０２において、情報再生処理部１０５が、受信した放送コンテンツを出力部１０６を介して再生する。
【００２８】
ここで、放送コンテンツについて、図４を参照して説明する。
【００２９】
放送コンテンツ４００は、再生に関する本体情報（本文情報）４０２と、本体情報４０２に関わる情報である属性情報４０１とで構成される。
【００３０】
属性情報４０１は、時間に関わる情報４１２と場所に関わる情報４１３と、放送コンテンツ４００の特徴を示す特徴情報であるカテゴリに関わる情報４１１とを含む。
【００３１】
時間に関わる情報４１２は、有効期間を示す情報であり、場所に関わる情報４１３は、緯度情報（Latitude）と、経度情報（Longitude）と、エリア情報（area）と、エリアコード（areaCode）と、場所情報（placeName）とで構成される。
【００３２】
又、カテゴリに関わる情報４１１は、イベント情報（PublicEvent）であり、その詳細内容（details）は「青空市」であることが示されている。
【００３３】
次に、ステップＳ２０３において、当該コンテンツに行動提案情報の提示に際して参照される情報である旨のブックマークを付与するか否かをユーザに確認させる。
【００３４】
ステップＳ２０４において、当該コンテンツにブックマークを付与する必要がある場合に、ユーザが、入力部１０７からブックマーク付与の指示を入力すると、ブックマーク付与部１０８が、放送コンテンツ４００に対して、行動提案情報の提示に際して参照される情報である旨のブックマークを付与する。
【００３５】
ブックマークを付与する領域は、例えば、保存するコンテンツの先頭領域に設けられている。
【００３６】
そして、ステップＳ２０５において、情報保存処理部１０２は、情報保存部１０４内に放送コンテンツ４００とその付加情報であるブックマークを保存する。
【００３７】
なお、ブックマークを付与しない場合は受信コンテンツのみを保存する。
【００３８】
次に、行動予定の候補情報を表示する行動提案方法について、図３、図５を用いて説明する。
【００３９】
ステップＳ３０１において、例えば、図５（ａ）に示すように、１２時から１３時に「横浜」で「ランチ」と行動予定情報５１１を入力し、この情報を登録する。
【００４０】
ステップＳ３０１において、予定情報が入力され、ステップＳ３０２において、情報保存部１０４内に受信コンテンツ等の情報が格納されていれば、ステップＳ３０３において、予定情報検索部１０３は、情報保存部１０４に格納されている受信コンテンツ等の情報を参照し、新たに入力された情報の時間情報を基に、その前後の空き時間に関わる情報の検索を行う。
【００４１】
この場合、ステップＳ３０３の検索において、対応する情報が情報保存部１０４に記憶されている場合、情報再生処理部１０５は、出力部１０６を介して、図５（ｂ）に示すように、新たに登録した予定情報５２１とこの予定情報５２１に関わる情報として検索した検索結果である行動提案情報５３１とを表示する。即ち、行動予定情報５１１の「横浜」と図４に示す場所に関わる情報４１３の「横浜駅前」とが関係付けられているため、情報再生処理部１０５は、行動予定情報５１１の「横浜」に関係付けられている行動提案情報５３１を出力部１０６により表示させることができる。
【００４２】
ステップＳ３０４において、ステップＳ３０３で提示された行動提案情報５３１を採用する旨の選択入力として、「登録」ボタン５３２を用いて登録指示が行われると、情報登録部１０９は、提示された行動提案情報を決定した行動予定情報として情報保存部１０４に新たに保存・登録し、登録情報を更新する（ステップＳ３０５）。
【００４３】
このように、本実施の形態１によれば、ユーザにより入力された時間情報等の行動予定情報に基づいて、格納されている行動予定情報に関連する情報を検索して表示することにより、例えばユーザは目的地に到着する前に行動予定情報を見ることができるので、ユーザに対して事前に行動予定を立てるための支援を行うことができる。また、本実施の形態１によれば、ユーザが行動予定情報を通信端末装置に入力すれば行動予定情報に関連する情報が通信端末装置に表示されるので、行動の予定設定及び入力を容易にすることができる。また、本実施の形態１によれば、通信端末装置に行動予定情報に関連する情報を表示するので、いつでもどこでもユーザの行動支援を可能にすることができる。また、本実施の形態１によれば、行動予定情報に関連する情報は、放送により配信されるコンテンツとして取得することができるので、最新の情報に基づいた行動支援を可能にすることができる。また、本実施の形態１によれば、ユーザが入力した行動予定情報と検索された行動予定情報に関連する情報とを同時に表示するので、ユーザは自分が入力した行動予定情報と検索された行動予定情報に関連する情報との両方を見ながら行動予定を立てることができるので、ユーザは容易に行動予定を立てることができる。
【００４４】
なお、ステップＳ３０３の検索において、検索の対象となる情報は、行動提案情報の提示に際して参照される情報である旨のブックマークを付与された情報とする。
【００４５】
なお、本実施の形態１では、予定情報の検索において、行動予定として入力された時間情報をキー情報として検索したが、これに限らず、場所に関わる情報を検索条件として検索するように予め設定し、検索するように構成しても良い。
【００４６】
例えば、「横浜」を検索情報として、その場所に関わる情報を行動予定の候補情報として設定するように構成しても良い。
【００４７】
なお、場所に関わる情報の形式は、予め取り決めたエリア情報を用いても良いし、緯度／経度情報を用いて近郊の場所情報を抽出するようにしても良い。また、予め取り決めたエリアコードまたはエリア名を利用して、その一致する情報を提案情報として提示するようにしても良い。
【００４８】
また、キー情報を人物情報としても良い。例えば、共に行動する人の情報として「田中さん」が入力されると、「田中さん」に関わる情報、例えば「田中さん」との送受信メール情報を提示したり、検索されたメール情報のなかで「横浜」に関わる文面のメールを抽出して提示するようにしても良い。
【００４９】
又、行動予定の入力内容、例えば「ランチ」の入力情報を特徴情報として、その内容に関わる情報、例えばレストランに関する情報をお勧め情報として提示するようにしても良い。この場合、「ランチ」をレストランに関する情報と結び付けるには、関係データベースを用いることにより実現できる。又、入力された特徴情報と同一の特徴情報を検索するように構成しても良い。
【００５０】
なお、本実施の形態１では、検索の対象となる情報は、行動提案情報の提示に際して参照される情報である旨のブックマークを付した情報としたが、これに限らず、更に、未読の受信情報、例えば、放送コンテンツや受信メールを対象としても良い。
【００５１】
検索対象を未読の情報とすることにより、容易に関連する情報を抽出することが可能となる。
【００５２】
この未読の受信メールには、チケット購入に関する受信メールも含まれ、このような受信メールには、日時情報も含まれるから、音楽会や観劇の日時が確実に行動予定情報として登録されることになる。
【００５３】
又、ブックマークを付与した情報と未読の情報の双方を検索対象となるように構成しても良い。さらに、ブックマークを付与した情報と未読の情報とを区別して提示するようにしても良い。
【００５４】
更に、検索の対象とする情報をユーザが設定できるようにするモードを設けるように構成しても良い。
【００５５】
なお、ブックマークの付与を行う際に、行動提案情報を検索する時に参照される検索条件（属性情報）を明示的に指定して、ブックマークを付与するように構成しても良い。例えば、付随する属性情報をリスト表示し、その表示された属性情報の中から選択したり、時間情報、場所情報、カテゴリ情報などから検索の際に有効とする属性情報を選択し、ブックマークを付与するように構成しても良い。このように構成することで、ユーザは明示的に検索条件を選択することが可能となる。
【００５６】
又、実施の形態１では、受信する情報の本体情報に付属する属性情報を利用する例を説明したが、これに限らず、本文情報に含まれる情報、例えば、時間情報を利用するようにしても良い。時間情報の抽出には、例えば、表示される時間情報をユーザが明示的に選択した状態で、ブックマークの付与を行うことにより、検索の際に利用する情報とするようにしても良い。
【００５７】
また、上記説明では、入力部１０７から情報が入力された時、この入力情報に関連する情報を検索するように構成したが、登録済み情報の表示を指示した際に、自動的にブックマークが付与された情報を検索し、検索結果を表示するように構成しても良い。
【００５８】
（実施の形態２）
実施の形態２を、図５、図６〜図８を用いて説明する。
【００５９】
実施の形態２の通信端末装置６００では、コンテンツを受信した時、ブックマーク付与部６０８が、予め条件設定部６０９により設定した情報を基に自動的にブックマークを付与し、その後、情報保存処理部６０２が、当該受信コンテンツを保存処理するように構成したものである。
【００６０】
実施の形態２の通信部６０１、予定情報検索部６０３、情報保存部６０４、出力部６０６、入力部６０７、ブックマーク付与部６０８は、実施の形態１の通信部１０１、予定情報検索部１０３、情報保存部１０４、情報再生処理部１０５、出力部１０６、入力部１０７、ブックマーク付与部１０８と同一の機能を備えている。
【００６１】
次に、前述の図６に示す通信端末装置６００の行動提案方法を図７及び図８を用いて説明する。
【００６２】
最初に、放送されている情報を受信する時の動作について図７を用いて説明する。
【００６３】
ステップＳ７０１において、放送されている情報を受信すると、ステップＳ７０２において、情報保存処理部６０２は、受信した情報が、行動提案を行う際に優先して提案する対象となる情報であるか否かの判定を行う。
【００６４】
ここで、優先して提案する対象となる情報とは、特徴情報として情報保存部６０４に保存されているユーザの嗜好情報に基づいた情報を有する情報であり、この情報は、ユーザの入力した情報に基づき条件設定部６０９により設定される。
【００６５】
さて、ステップＳ７０２において、情報保存処理部６０２が、条件設定部６０９で設定された情報に基づき、受信した情報が優先して提示する対象となる情報であると判断した時、ブックマーク付与部６０８は、ステップＳ７０３において、ブックマークを付与し、その後、ステップＳ７０４において、情報保存部６０２は、受信した情報を未読の受信情報として情報保存部６０４に保存する。
【００６６】
次に、既に登録されている行動予定情報（スケジュール情報）を表示させる際の行動提案の提示方法を、図８を用いて説明する。
【００６７】
ステップＳ８０１において、登録済みの行動予定情報の表示の指示を行うと、情報提案端末６００は、図５（ａ）に示すように、行動予定情報を表示する。そして、行動予定情報の表示を契機として、情報保存部６０４内に情報が格納されていれば（ステップＳ８０２）、ステップＳ８０３において、予定情報検索部６０３は、情報保存部６０４に記憶した情報を検索する。
【００６８】
ステップＳ８０４及びステップＳ８０５の動作は、図３のステップＳ３０４及びステップＳ３０５と同様であり、ステップＳ８０６において、行動予定情報を表示する。
【００６９】
更に具体的に説明すると、ステップＳ８０１において、日付情報「３月２日」を入力すると、図５（ａ）に示す行動予定情報が表示される。そして、行動予定情報の表示に続いて、日付情報「３月２日」を検索条件として情報保存部６０４内の情報を検索する。この検索処理において、情報保存部６０４に保存する未読の情報を検索対象として、特にブックマークが付加された未読の情報を行動提案情報として、図５（ｂ）に示すように提示する。
【００７０】
このように、本実施の形態２によれば、上記実施の形態１の効果に加えて、ブックマークが付加された情報を表示するので、ユーザにて必要な情報を優先的に表示することができる。
【００７１】
なお、実施の形態１と組み合わせ、ブックマークをユーザが設定するように構成することもできる。この場合、検索条件設定部６０９に設定される情報は、ユーザのブックマーク付与の履歴情報に基づき学習し、設定されるように構成しても良い。つまり、ブックマークを付与される情報の特徴情報を利用して、検索条件を更新していくようにしても良い。
【００７２】
なお、行動提案の対象となる情報が複数存在する場合は、行動提案に対して優先度レベルをつけるようにしても良い。例えば、特徴情報に対応して、事前に優先度を与えるようにしても良い。又、ユーザの好みのカテゴリに関する情報の優先度を高くするようにしても良い。
【００７３】
（実施の形態３）
実施の形態３を図５、図９を用いて説明する。
【００７４】
実施の形態３の通信端末装置９００は、受信部９０１を介して受信した情報が、決定した行動予定情報に関連する情報である場合、受信した情報について受信通知を行うか否かのモード設定するための受信通知設定部９０８を設けたものであり、その他の構成は情報登録部１０９を除く以外は、実施の形態１と同じ構成を備える。
【００７５】
従って、実施の形態３の通信端末装置９００では、情報の受信をきっかけとして、受信した情報が、情報保存部９０４に保存する行動予定情報に関わる情報である行動提案情報であるか否かを判定する。
【００７６】
具体的には、通信端末装置９００は、行動予定情報のある日時を指定して、その日時に関わる情報を受信した場合に通知を行う受信通知設定部９０８を備える。例えば、３月２日の１４：００から１６：００に、予定が未定である旨の情報を設定することにより、その時間に関わる情報を受信した場合に、受信通知設定部９０８は、情報を受信した旨の通知を行う。
【００７７】
また、通信端末装置９００は、図５（ａ）に示すように、行動予定情報５１１が表示されている状態で、本日の行動予定に関わる情報を受信した場合には、通知を行うようにしても良い。本日の行動に関わる情報としては、時間に関する情報のみでなく、場所に関する情報である「横浜」や特徴情報である「ランチ」を、通知を行うか否かを判定する情報として利用しても良い。
【００７８】
なお、通知を行うか否かの判定には、ユーザの嗜好情報を予め入力し、この情報を基に判定するように構成しても良い。
【００７９】
又、ユーザの嗜好情報は、行動予定情報に含まれる情報より抽出するようにしても良く、例えば、行動予定情報により多く含まれる情報を、ユーザが好む情報であると判定する。
【００８０】
図１０は、実施の形態３の変形例であり、図１０の通信端末装置１０００は、受信通知部１００８を備えている。
【００８１】
この受信通知部１００８は、受信部を介して受信した情報が、決定した行動予定情報に関連する情報である場合のみ、受信した情報について選択的に受信通知を行う機能を備えている。
【００８２】
このように、本実施の形態３によれば、上記実施の形態１の効果に加えて、受信した情報が所望の情報である場合にはユーザに通知するので、ユーザが必要な情報を通信端末装置にて迅速に閲覧することができる。
【産業上の利用可能性】
【００８３】
本発明は、特に、無線機、携帯情報端末（ＰＤＡ：Personal Digital Assistant）、ノート型パーソナルコンピュータ、無線ＬＡＮや有線ＬＡＮにより構築されたネットワーク上のパーソナルコンピュータを用いた通信端末装置に好適である。
【図面の簡単な説明】
【００８４】
【図１】本発明の実施の形態１に係る通信端末装置の構成を示すブロック図
【図２】本発明の実施の形態１に係る情報の受信時の処理方法を説明するフロー図
【図３】本発明の実施の形態１に係る行動提案の工程を説明するフロー図
【図４】本発明の実施の形態１に係る受信コンテンツの構成を示す図
【図５】本発明の実施の形態１に係る通信端末装置の表示状態を示す図
【図６】本発明の実施の形態２の通信端末装置の構成を示すブロック図
【図７】本発明の実施の形態２に係る情報の受信時の処理方法を説明するフロー図
【図８】本発明の実施の形態２に係る行動提案の工程を説明するフロー図
【図９】本発明の実施の形態３に係る通信端末装置の構成を示すブロック図
【図１０】本発明の実施の形態３に係る通信端末装置の他の構成を示すブロック図
【符号の説明】
【００８５】
１００、６００  通信端末装置
１０１、６０１  通信部
１０２、６０２  情報保存処理部
１０３、６０３  予定情報検索部
１０５、６０５  情報再生処理部
１０４、６０４  情報保存部
１０６、６０６  出力部
１０７、６０７  入力部
【図１】
2006072897.tif 000003
【図２】
2006072897.tif 000004
【図３】
2006072897.tif 000005
【図４】
2006072897.tif 000006
【図５】
2006072897.tif 000007
【図６】
2006072897.tif 000008
【図７】
2006072897.tif 000009
【図８】
2006072897.tif 000010
【図９】
2006072897.tif 000011
【図１０】
2006072897.tif 000012